(57)【要約】【課題】反射板上でのランプのぐらつきを抑制する。【解決手段】細長のランプ１の端部に取り付けられ、ランプ１からの光を反射する反射板４の端部の表面に当接する当接面Ｔを備え、ランプ１を反射板４の端部に固定するランプホルダー２であって、当接面Ｔが延長された切り欠き溝７を有している。【選択図】図３
2008262711.tif 000002
【特許請求の範囲】
【請求項１】
細長のランプの端部に取り付けられ、上記ランプからの光を反射する反射板の端部の表面に当接する当接面を備え、上記ランプを上記反射板の端部に固定するランプホルダーであって、
上記当接面との間で上記反射板の端部を挟み込む挟み込み手段を有していることを特徴とするランプホルダー。
【請求項２】
請求項１に記載されたランプホルダーにおいて、
上記挟み込み手段は、上記当接面が延長された切り欠き溝により構成されていることを特徴とするランプホルダー。
【請求項３】
請求項２に記載されたランプホルダーにおいて、
上記切り欠き溝は、開口側に向かって溝幅が広がっていることを特徴とするランプホルダー。
【請求項４】
請求項１に記載されたランプホルダーにおいて、
上記挟み込み手段は、外側に突出した突出部により構成されていることを特徴とするランプホルダー。
【請求項５】
細長のランプと、
上記ランプからの光を反射する反射板と、
上記ランプの端部に取り付けられ、上記ランプを上記反射板の端部に固定するランプホルダーとを備えたバックライトユニットであって、
上記ランプホルダーは、上記反射板の端部の表面に当接する当接面を備え、該当接面との間で上記反射板の端部を挟み込む挟み込み手段を有していることを特徴とするバックライトユニット。
【請求項６】
請求項５に記載されたバックライトユニットにおいて、
上記ランプは、上記反射板に対して、互いに平行に延びるように複数本設けられていることを特徴とするバックライトユニット。
【請求項７】
液晶パネルと、
上記液晶パネルの表示面に対向して配置されたバックライトユニットとを備えた液晶表示装置であって、
上記バックライトユニットは、細長のランプと、上記ランプからの光を反射する反射板と、上記ランプの端部に取り付けられ、上記ランプを上記反射板の端部に固定するランプホルダーとを備え、
上記ランプホルダーは、上記反射板の端部の表面に当接する当接面を備え、該当接面との間で上記反射板の端部を挟み込む挟み込み手段を有していることを特徴とする液晶表示装置。
【発明の詳細な説明】
【技術分野】
【０００１】
本発明は、ランプホルダーに関し、特に、液晶表示装置のバックライトユニットを構成するランプの両端に取り付けられるランプホルダーに関するものである。
【背景技術】
【０００２】
透過型の液晶表示装置は、互いに対向して配置された一対の基板、及びそれら一対の基板の間に設けられた液晶層を備えた液晶パネルと、その液晶パネルに光を入射させるためのバックライトユニットとを有している。そして、この透過型の液晶表示装置では、液晶層に印加される電圧の大きさに応じて、液晶層の中の液晶分子の配向状態を変えることにより、バックライトユニットから入射する光の透過率を調整して、画像が表示される。
【０００３】
上記バックライトユニットは、陰極放電管などのランプと、そのランプの近傍に設けられた反射板とを備えている。そして、バックライトユニットでは、ランプがその両端部に取り付けられたランプホルダーを介して、反射板に固定されている。例えば、特許文献１、２及び３には、種々のランプホルダーとその固定方法が開示されている。
【特許文献１】特開平８−１５７０２号公報
【特許文献２】特開２００２−１５６６２２号公報
【特許文献３】特開２００４−３４８１５０号公報
【発明の開示】
【発明が解決しようとする課題】
【０００４】
図９は、従来のバックライトユニット１１０の要部斜視図である。
【０００５】
このバックライトユニット１１０は、細長のランプ１０１と、ランプ１０１の端部に取り付けられたゴム製のランプホルダー１０２と、端部にランプホルダー１０２が載置された反射板１０４とを備えている。ランプホルダー１０２は、反射板１０４の表面に当接す当接面Ｔを有し、反射板１０４に対して直立するように構成されている。
【０００６】
しかしながら、上記のような構成のバックライトユニット１１０では、外部から振動などが加わることによって、ランプ１０１が反射板１０４上でぐらついてしまうという問題がある。特に、直下式のバックライトユニットでは、反射板に対して、複数本のランプが互いに平行に延びるように設けられているので、ランプを反射板に取り付ける際には、各ランプが倒れないように注意して作業する必要があり、作業性が低下してしまう。
【０００７】
本発明は、かかる点に鑑みてなされたものであり、その目的とするところは、反射板上でのランプのぐらつきを抑制することにある。
【課題を解決するための手段】
【０００８】
上記目的を達成するために、本発明は、ランプホルダーが当接面との間で反射板の端部を挟み込む挟み込み手段を有するようにしたものである。
【０００９】
具体的に本発明に係るランプホルダーは、細長のランプの端部に取り付けられ、上記ランプからの光を反射する反射板の端部の表面に当接する当接面を備え、上記ランプを上記反射板の端部に固定するランプホルダーであって、上記当接面との間で上記反射板の端部を挟み込む挟み込み手段を有していることを特徴とする。
【００１０】
上記の構成によれば、反射板の端部が、ランプホルダーの当接面と、挟み込み手段との間で挟み込まれることになるので、ランプホルダーが反射板の端部で確実に固定される。そして、ランプホルダーには、ランプの端部が取り付けられているので、反射板上でのランプのぐらつきが抑制される。
【００１１】
上記挟み込み手段は、上記当接面が延長された切り欠き溝により構成されていてもよい。
【００１２】
上記の構成によれば、ランプホルダーの切り欠き溝の内部に反射板の端部が収容されることにより、ランプホルダーが反射板の端部で確実に固定される。
【００１３】
上記切り欠き溝は、開口側に向かって溝幅が広がっていてもよい。
【００１４】
上記の構成によれば、ランプホルダーの切り欠き溝の内部に反射板の端部が収容されやすくなる。
【００１５】
上記挟み込み手段は、外側に突出した突出部により構成されていてもよい。
【００１６】
上記の構成によれば、ランプホルダーの当接面と突出部との間で反射板の端部を挟み込むことにより、ランプホルダーが反射板の端部で確実に固定される。
【００１７】
また、本発明に係るバックライトユニットは、細長のランプと、上記ランプからの光を反射する反射板と、上記ランプの端部に取り付けられ、上記ランプを上記反射板の端部に固定するランプホルダーとを備えたバックライトユニットであって、上記ランプホルダーは、上記反射板の端部の表面に当接する当接面を備え、該当接面との間で上記反射板の端部を挟み込む挟み込み手段を有していることを特徴とする。
【００１８】
上記の構成によれば、反射板の端部が、ランプホルダーの当接面と、挟み込み手段との間で挟み込まれることになるので、ランプホルダーが反射板の端部で確実に固定される。そして、ランプホルダーには、ランプの端部が取り付けられているので、バックライトユニットにおいて、反射板上でのランプのぐらつきが抑制される。
【００１９】
上記ランプは、上記反射板に対して、互いに平行に延びるように複数本設けられていてもよい。
【００２０】
上記の構成によれば、反射板に対して、複数本のランプが設けられていても、ランプホルダーによって、各ランプが反射板の端部で確実に固定されているので、各ランプを反射板に取り付ける際の作業性の低下が抑制される。
【００２１】
また、本発明に係る液晶表示装置は、液晶パネルと、上記液晶パネルの表示面に対向して配置されたバックライトユニットとを備えた液晶表示装置であって、上記バックライトユニットは、細長のランプと、上記ランプからの光を反射する反射板と、上記ランプの端部に取り付けられ、上記ランプを上記反射板の端部に固定するランプホルダーとを備え、上記ランプホルダーは、上記反射板の端部の表面に当接する当接面を備え、該当接面との間で上記反射板の端部を挟み込む挟み込み手段を有していることを特徴とする。
【００２２】
上記構成によれば、反射板の端部が、ランプホルダーの当接面と、挟み込み手段との間で挟み込まれることになるので、ランプホルダーが反射板の端部で確実に固定される。そして、ランプホルダーには、ランプの端部が取り付けられているので、液晶表示装置を構成するバックライトユニットにおいて、反射板上でのランプのぐらつきが抑制される。
【発明の効果】
【００２３】
本発明によれば、ランプホルダーが当接面との間で反射板の端部を挟み込む挟み込み手段を有しているため、反射板上でのランプのぐらつきを抑制することができる。
【発明を実施するための最良の形態】
【００２４】
以下、本発明の実施形態を図面に基づいて詳細に説明する。なお、本発明は、以下の実施形態に限定されるものではない。
【００２５】
《発明の実施形態１》
図１〜図６は、本発明に係るランプホルダー、バックライトユニット及び液晶表示装置の実施形態１を示している。
【００２６】
図１は、本実施形態の液晶表示装置５０の分解斜視図である。
【００２７】
この液晶表示装置５０は、図１に示すように、表示面Ｄを有する液晶パネル２０と、液晶パネル２０を下側から保持するフレーム１２と、フレーム１２の下側に液晶パネル２０の表示面Ｄに対向して配置された直下式のバックライトユニット１０と、液晶パネル２０の上側に設けられ、バックライトユニット１０及びフレーム１２に固定されたベゼル１３とを備えている。
【００２８】
液晶パネル２０は、例えば、互いに対向して配置されたアクティブマトリクス基板（不図示）及び対向基板（不図示）と、それら両基板の間に設けられた液晶層（不図示）と、上記アクティブマトリクス基板及び対向基板の各表示面Ｄに貼り付けられた偏光板（不図示）とを備えている。
【００２９】
上記アクティブマトリクス基板は、ガラス基板と、そのガラス基板上に互いに平行に延びるように設けられた複数のゲート線と、各ゲート線と直交するように設けられた複数のソース線と、ゲート線とソース線との各交差部分にスイッチング素子として設けられたＴＦＴと、隣り合う一対のゲート線及び一対のソース線に囲われる各領域に設けられた画素電極と、画素電極を覆うように設けられた配向膜とを備えている。そして、各画素電極は、画像の最小単位である画素を構成すると共に、マトリクス状に配列して表示領域（表示面Ｄ）を構成している。
【００３０】
上記対向基板は、ガラス基板と、ガラス基板上に設けられたカラーフィルター層と、カラーフィルター層を覆うように設けられたオーバーコート層と、オーバーコート層を覆うように設けられた共通電極と、共通電極を覆うように設けられた配向膜とを備えている。
【００３１】
上記液晶層は、電気光学特性を有するネマチック液晶（液晶分子）を含んでいる。
【００３２】
上記偏光板は、入射光に対して、特定方向の偏光成分のみを透過させる機能を有している。
【００３３】
フレーム１２は、ステンレスなどの金属板からなり、バックライトユニット１２からの光が液晶パネル２０に直接入射するように枠形状に形成されている。
【００３４】
バックライトユニット１０は、反射板４と、反射板４上に互いに平行に延びるように設けられた複数本のランプ１と、各ランプ１の両端部に取り付けられ、反射板４の端部に固定されたランプホルダー２と、フレーム１２の内部に収容され、各ランプホルダー２を上側から保持するランプホルダー保持部６と、複数のランプ１の上側に設けられた光学シート９と備えている。
【００３５】
反射板４は、ステンレスなどの金属板からなるシャーシ４ａと、シャーシ４ａの上面に設けられ、白色のプラスチックシートからなる反射シート４ｂとを備えている。
【００３６】
ランプ１は、例えば、陰極放電管であり、その両端に電圧を印加するためのハーネス３が接続されている。
【００３７】
ランプホルダー２は、ゴムなどの弾性材料により構成され、図２、図３及び図４に示すように、反射板４の端部の表面に当接する当接面Ｔを有し、ランプ１の端部及びハーネス３の端部の双方が内部に収容されるようにＬ字状の貫通孔８を有している。ここで、図２は、バックライトユニット１０の要部斜視図であり、図３は、図２中のIII-III線に沿ったランプホルダー２の断面図であり、図４は、そのランプホルダー２の上面図である。
【００３８】
また、ランプホルダー２は、本発明の特徴として、その当接面Ｔを延長して形成され、挟み込み手段として機能する切り欠き溝７を有し、その切り欠き溝７の内部に反射板４の端部が収容されるように構成されている。
【００３９】
反射板４上には、細長のランプ１の中間部分を支持するランプクリップ５が設けられている。また、ランプクリップ５には、光学シート９を下側から支持する突出部も設けられている。
【００４０】
光学シート９は、複数のランプ１からの光を拡散する拡散フィルムなどである。
【００４１】
ベゼル１３は、ステンレスなどの金属板により枠状に形成され、液晶パネル２０の表示面Ｄが露出するように開口されている。
【００４２】
このような構成の液晶表示装置５０では、液晶パネル２０の各画素において、ゲート信号がゲート線を介してＴＦＴに供給されることにより、ＴＦＴがオン状態となり、それと同時に、ソース信号がソース線及びＴＦＴを介して画素電極に供給されることにより、画素電極に所定の電荷が書き込まれる。このとき、アクティブマトリクス基板上の画素電極と対向基板上の共通電極との間で、電位差が生じることになり、液晶層からなる液晶容量に所定の電圧が印加される。そして、液晶表示装置５０では、各画素において、その印加電圧の大きさに応じて液晶層における液晶分子の配向状態が変わることを利用して、バックライトユニット１０から液晶パネル２０に入射する光の透過率を調整することにより、画像が表示される。
【００４３】
次に、上記構成の液晶表示装置５０の製造方法について一例を挙げて説明する。この液晶表示装置５０は、以下に示すアクティブマトリクス基板作製工程、対向基板作製工程、液晶パネル作製工程、及び組立工程を順次行うことにより製造される。
【００４４】
まず、アクティブマトリクス基板作製工程では、ガラス基板上に、上記構成の種々の配線、ＴＦＴ、画素電極及び配向膜などを形成する。
【００４５】
上記アクティブマトリクス基板作製工程と同時に行う対向基板工程では、ガラス基板上に、カラーフィルター層、共通電極及び配向膜などを形成する。
【００４６】
次に行う液晶パネル作製工程では、まず、上記アクティブマトリクス基板作製工程及び対向基板作製工程で作製された一方の基板上にシール材を液晶注入口の部分を欠いた枠状パターンに塗布する。次いで、上記他方の基板に液晶層の厚さに相当する直径を有する球状のスペーサーを散布する。さらに、それら両基板を貼り合わせた後、シール材を硬化させて、空の液晶パネルを作製する。
【００４７】
次いで、上記空の液晶パネルに減圧法により液晶材料を注入した後、上記液晶注入口にＵＶ硬化樹脂を塗布し、そのＵＶ硬化樹脂に対してＵＶ照射を行うことにより、液晶材料を封止する。
【００４８】
続いて、上記液晶パネルのアクティブマトリクス基板の表面、及び対向基板の表面にそれぞれ偏光板を貼り付ける。
【００４９】
以上のようにして、液晶パネル２０が作製される。さらに、液晶パネル２０には、ドライバーＩＣなどの実装部品が取り付けられる。
【００５０】
次に行う組立工程では、まず、シャーシ４ａの上面に反射シート４ｂを貼り合わせて反射板４を作製する。さらに、反射板４の上面の所定位置にランプクリップ５を取り付ける。
【００５１】
次いで、両端にそれぞれ導線がはんだ付けされたランプ１を準備する。そして、その導線をランプホルダー２の貫通孔８に通すことにより、ランプ１の両端部にランプホルダー２を取り付け、その後、各導線の端部にコネクターを取り付けてハーネス３を形成する。
【００５２】
続いて、反射板４上のランプクリップ５にランプ１の中央部分を取り付けると共に、ランプ１の両端に取り付けられたランプホルダー２の切り欠き溝７に反射板４の端部を収容する。ここで、ランプホルダー２の切り欠き溝７の内部に反射板４の端部が収容されるので、ランプホルダー２が反射板４の端部で確実に固定され、反射板４上でのランプ１のぐらつきを抑制することができる。
【００５３】
さらに、反射板４の両端部に固定された各ランプホルダー２の上面を覆うように、ランプホルダー保持部６を取り付ける。
【００５４】
その後、各ランプクリップ５の突出部の上面に当接するように光学シート６を設置する。
【００５５】
次いで、反射板４の上面に設置されたランプホルダー保持部６を内部に収容するように、フレーム１２を取り付ける。
【００５６】
続いて、フレーム１２の上面の所定位置に液晶パネル２０を取り付けた後、液晶パネル２０の表示面Ｄが露出するようにベゼル１３を取り付け、ベゼル１３とフレーム１２及び反射板４とをネジ止めにより固定する。
【００５７】
以上のようにして、液晶表示装置５０が製造される。
【００５８】
以上説明したように本実施形態の液晶表示装置５０では、ランプホルダー２の切り欠き溝７の内部に反射板４の端部が収容されることにより、ランプホルダー２を反射板４の端部に確実に固定することができる。そして、そのランプホルダー２には、ランプ１の端部が取り付けられているので、バックライトユニット１０において、反射板４上でのランプ１のぐらつきを抑制することができる。また、ランプホルダー２が反射板４の端部に確実に固定されるので、反射板４上のランプクリップ５の省略する、或いは、その個数を減らすこともできる。さらに、反射板４上でのランプ１のぐらつきが抑制されるので、各ランプ１を反射板４に取り付ける際の作業性の低下を抑制することができる。
【００５９】
また、本実施形態では、切り欠き溝７として、図３に示すように、溝幅が均一なものを例示したが、本発明は、これに限らず、図５に示すような切り欠き溝７ａ、及び図６に示すような切り欠き溝７ｂであってもよい。ここで、図５は、図３に対応するランプホルダー２ａの断面図であり、図６は、図３に対応するランプホルダー２ｂの断面図である。
【００６０】
図５に示すランプホルダー２ａでは、切り欠き溝７ａを構成する下側の側壁が当接面Ｔに対して傾斜していることにより、溝幅が開口側に向かって広がっている。
【００６１】
また、図６に示すランプホルダー２ｂでは、切り欠き溝７ｂを構成する上側及び下側の双方の側壁が当接面Ｔに対して傾斜していることにより、溝幅が開口側に向かって広がっている。
【００６２】
このように、切り欠き溝７ａ及び７ｂでは、溝幅が開口側に向かって広がっているので、ランプホルダー２の切り欠き溝７ａ及び７ｂの内部に反射板４の端部を収容しやすくすることができる。また、切り欠き溝７ａ及び７ｂの底部の溝幅を反射板４の厚さよりも少し狭くすることによって、反射板７の側面が溝の底部に当接したときに、ランプホルダー２の弾性力によって、反射板７の端部を溝の内部に確実に把持させることができる。
【００６３】
《発明の実施形態２》
図７及び図８は、本発明の実施形態２に係るランプホルダー２ｃを示している。ここで、図７は、図３に対応するランプホルダー２ｃの断面図であり、図８は、そのランプホルダー２ｃの下面図である。なお、以下の実施形態では図１〜図６と同じ部分については同じ符号を付して、その詳細な説明を省略する。
【００６４】
このランプホルダー２ｃは、本発明の特徴として、当接面Ｔの直交する面に外側に突出して、挟み込み手段として機能する突出部７ｃを有し、当接面Ｔと突出部７の上面との間で反射板４の端部が挟み込まれるように構成されている。その他の構成については、上記実施形態１と同一である。
【００６５】
このような構成のランプホルダー２ｃによれば、ランプホルダー２ｃの当接面Ｔと突出部７の上面との間で反射板４の端部を挟み込むことができ、ランプホルダー２ｃを反射板の端部で確実に固定することができる。
【００６６】
その他の作用効果、バックライトユニット及び液晶表示装置の構成は、上記実施形態１と同一である。
【００６７】
《その他の実施形態》
上記実施形態１及び２では、直下式のバックライトユニット１０を例示したが、本発明は、エッジライト式のバックライトユニットにも適用することができる。
【産業上の利用可能性】
【００６８】
以上説明したように、本発明は、バックライトユニット及びそれを備えた液晶表示装置について有用である。
【図面の簡単な説明】
【００６９】
【図１】実施形態１の液晶表示装置５０の分解斜視図である。
【図２】実施形態１のバックライトユニット１０の要部斜視図である。
【図３】図２中のII-II線に沿ったランプホルダー２の断面図である。
【図４】ランプホルダー２の上面図である。
【図５】図３に対応するランプホルダー２ａの断面図である。
【図６】図３に対応するランプホルダー２ｂの断面図である。
【図７】図３に対応する実施形態２のランプホルダー２ｃの断面図である。
【図８】ランプホルダー２ｃの下面図である。
【図９】従来のバックライトユニット１１０の要部斜視図である。
【符号の説明】
【００７０】
Ｄ    表示面
Ｔ    当接面
１    ランプ
２，２ａ，２ｂ，２ｃ  ランプホルダー
４    反射板
７，７ａ，７ｂ        切り欠き溝（挟み込み手段）
７ｃ  突出部（挟み込み手段）
１０  バックライトユニット
２０  液晶パネル
５０  液晶表示装置
【図１】
2008262711.tif 000003
【図２】
2008262711.tif 000004
【図３】
2008262711.tif 000005
【図４】
2008262711.tif 000006
【図５】
2008262711.tif 000007
【図６】
2008262711.tif 000008
【図７】
2008262711.tif 000009
【図８】
2008262711.tif 000010
【図９】
2008262711.tif 000011